(57)【要約】信号生成部１０は、CAZAC（Constant Amplitude Zero Auto Correlation）系列を、周波数領域において隣接するＭ個のサブキャリア（Ｍは３以上の整数）のうち所定間隔に配置されたＮ個のサブキャリア（Ｎは２以上の整数）にマッピングし、マッピングされたCAZAC系列に対してInverse Fast Fourier Transform（IFFT）処理を行い、IFFT処理により生成された時間領域信号に対してマンチェスタ符号化を行うことにより、OOK（On-Off Keying）変調信号を生成する。無線送信部１０７は、OOK変調信号を送信する。
2019008916.tif 000002
【特許請求の範囲】
【請求項１】
CAZAC（Constant Amplitude Zero Auto Correlation）系列を、周波数領域において隣接するＭ個のサブキャリア（Ｍは３以上の整数）のうち所定間隔に配置されたＮ個のサブキャリア（Ｎは２以上の整数）にマッピングし、前記マッピングされたCAZAC系列に対してInverse Fast Fourier Transform（IFFT）処理を行い、前記IFFT処理により生成された時間領域信号に対してマンチェスタ符号化を行うことにより、OOK（On-Off Keying）変調信号を生成する信号生成回路と、
前記OOK変調信号を送信する送信部と、
を具備する無線送信装置。
【請求項２】
前記所定間隔は、２サブキャリア間隔であり、
前記信号生成回路は、前記マンチェスタ符号化において、前記時間領域信号の前半区間及び後半区間の何れか一方をマスクアウトすることにより、前記OOK変調信号を生成する、
請求項１に記載の無線送信装置。
【請求項３】
前記CAZAC系列は、系列長NZCの複数のZC（Zadoff-Chu）系列のうちの一つであり、
前記Ｍは、前記OOK変調信号を送信する帯域幅に含まれるサブキャリア数であり、
前記系列長NZCは、前記Ｍを前記所定間隔で割ることにより得られる値以上の最小の素数である、
請求項１に記載の無線送信装置。
【請求項４】
前記CAZAC系列は、系列長NZCの複数のZC（Zadoff-Chu）系列のうちの一つであり、
前記信号生成回路は、前記複数のZC系列のうち系列番号が1又はNZC-1の前記ZC系列を用いて、前記OOK変調信号を生成する、
請求項１に記載の無線送信装置。
【請求項５】
前記信号生成回路は、更に、前記OOK変調信号内のON区間内の時間波形における電力ピークが、当該ON区間内の中央部分に配置されるように、前記マッピングされたCAZAC系列に対して位相回転を行う、
請求項１に記載の無線送信装置。
【請求項６】
前記信号生成回路は、更に、前記OOK変調信号内のON区間内の時間波形における電力ピークが、当該ON区間内の中央部分に配置されるように、前記時間波形に対して巡回シフトを行う、
請求項１に記載の無線送信装置。
【請求項７】
前記所定間隔は１サブキャリア間隔であり、
前記CAZAC系列はZC（Zadoff-Chu）系列であって、前記ZC系列を構成する複数のサンプルのうち隣接するサンプル間の位相差が、前記サンプル番号の増加に伴って単調増加又は単調減少し、
前記信号生成回路は、前記位相差を0から2πの区間で表す場合、前記位相差が０からπの区間において、前記位相差が単調増加又は単調減少する複数のサンプルを前記サブキャリアにそれぞれマッピングすることにより、第１の時間波形を有する前記OOK変調信号を生成し、前記位相差がπから２πの区間において、前記位相差が単調増加又は単調減少する複数のサンプルを前記サブキャリアにそれぞれマッピングすることにより、前記第１の時間波形に対してON信号及びOFF信号が反転した第２の時間波形を有する前記OOK変調信号を生成する、
請求項１に記載の無線送信装置。
【請求項８】
前記信号生成回路は、複数の前記CAZAC系列のうちの１つのCAZAC系列を用いて前記OOK変調信号を生成する、
請求項１に記載の無線送信装置。
【請求項９】
前記複数のCAZAC系列は、系列番号又は巡回シフト量が異なる複数のZC（Zadoff-Chu）系列であり、
前記複数のZC系列は、異なるグループにそれぞれ対応付けられている、
請求項８に記載の無線送信装置。
【請求項１０】
前記複数のCAZAC系列は、系列番号又は巡回シフト量が異なる複数のZC（Zadoff-Chu）系列であり、
前記複数のZC系列は、異なる無線受信装置にそれぞれ対応付けられている、
請求項８に記載の無線送信装置。
【請求項１１】
前記複数のCAZAC系列は、系列番号又は巡回シフト量が異なる複数のZC（Zadoff-Chu）系列であり、
前記複数のZC系列の各々は、パラメータ情報に一意に対応付けられ、
前記信号生成回路は、前記複数のZC系列のうち、無線受信装置へ通知する前記パラメータ情報に対応付けられた前記ZC系列を用いて前記OOK変調信号を生成する、
請求項８に記載の無線送信装置。
【請求項１２】
CAZAC（Constant Amplitude Zero Auto Correlation）系列を、周波数領域において隣接するＭ個のサブキャリア（Ｍは３以上の整数）のうち所定間隔に配置されたＮ個のサブキャリア（Ｎは２以上の整数）にマッピングし、前記マッピングされたCAZAC系列に対してInverse Fast Fourier Transform（IFFT処理）を行い、前記IFFT処理により生成された時間領域信号に対してマンチェスタ符号化を行うことにより、OOK（On-Off Keying）変調信号を生成し、
前記生成されたOOK信号変調を送信する、
送信方法。
【発明の詳細な説明】
【技術分野】
【０００１】
本開示は、無線送信装置及び送信方法に関する。
【背景技術】
【０００２】
IEEE（the Institute of Electrical and Electronics Engineers） 802.11 Working GroupのTask Group baにおいて、端末の低消費電力化を目的としたIEEE 802.11ba（以下、「11ba」と呼ぶ）の技術仕様策定がWUR (Wake-up Radio) Study Groupにおいて進められている。【０００３】
ウェイクアップ無線（WUR）は、主接続無線（PCR: primary connectivity radio）と共に用いられ、PCRをスリープ状態からウェイクアップするために使用される。PCRには、例えば非特許文献１に記載されている無線ＬＡＮ標準規格の方式、又は、IEEE802.11axのような将来規格化予定の方式が使用される。【０００４】
また、11baでは、制御情報のみを伝送する「ウェイクアップパケット」の規格化が進められている。ウェイクアップパケットの受信によりPCRがスリープ状態からウェイクアップされることになる。【０００５】
ウェイクアップパケットのペイロード部分の変調は、マンチェスタ符号を用いたOOK（OOK（オンオフ変調：On-Off Keying）with Manchester code）を使用することが検討されている。また、OOK波形はIEEE802.11 OFDM PHY（例えば、非特許文献１を参照）と同一パラメータのサブキャリア（すなわち、OFDM（Orthogonal Frequency Division Multiplexing）サブキャリア）に所定の値（係数）を設定することにより生成することが検討されている。なお、サブキャリアは「トーン(tone)」とも呼ばれる。
【先行技術文献】
【非特許文献】
【０００６】
【非特許文献１】IEEE Std 802.11TM-2016
【非特許文献２】IEEE 802.11ba framework (17/0575r1)
【非特許文献３】IEEE 802.11-16/1144r0 “Further Investigation on WUR Performance”
【非特許文献４】IEEE 802.11-17/0084r0 “High Level PHY Design”
【発明の概要】
【０００７】
しかしながら、OFDMベースのマンチェスタ符号を用いたOOK変調信号の生成方法については十分に検討がなされていない。
【０００８】
本開示の一態様は、OFDMベースのマンチェスタ符号を用いたOOK変調信号を適切に生成することができる無線送信装置及び送信方法の提供に資する。
【０００９】
本開示の一態様に係る無線送信装置は、CAZAC（Constant Amplitude Zero Auto Correlation）系列を、周波数領域において隣接するＭ個のサブキャリア（Ｍは３以上の整数）のうち所定間隔に配置されたＮ個のサブキャリア（Ｎは２以上の整数）にマッピングし、前記マッピングされたCAZAC系列に対してInverse Fast Fourier Transform（IFFT）処理を行い、前記IFFT処理により生成された時間領域信号に対してマンチェスタ符号化を行うことにより、OOK（On-Off Keying）変調信号を生成する信号生成回路と、前記OOK変調信号を送信する送信部と、を具備する。
【００１０】
本開示の一態様に係る送信方法は、CAZAC（Constant Amplitude Zero Auto Correlation）系列を、周波数領域において隣接するＭ個のサブキャリア（Ｍは３以上の整数）のうち所定間隔に配置されたＮ個のサブキャリア（Ｎは２以上の整数）にマッピングし、前記マッピングされたCAZAC系列に対してInverse Fast Fourier Transform（IFFT処理）を行い、前記IFFT処理により生成された時間領域信号に対してマンチェスタ符号化を行うことにより、OOK（On-Off Keying）変調信号を生成し、前記生成されたOOK信号変調を送信する。
【００１１】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１２】
本開示の一態様によれば、OFDMベースのマンチェスタ符号を用いたOOK変調信号を適切に生成することができる。
【００１３】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】周波数領域におけるOFDMサブキャリア割当例を示す図
【図２】マンチェスタ符号化処理の一例を示す図
【図３】マンチェスタ符号化OOK信号の一例を示す図
【図４】マンチェスタ符号化前後のスペクトラムの一例を示す図
【図５】実施の形態１に係る無線送信装置の一部の構成を示すブロック図
【図６】実施の形態１に係る無線送信装置の構成例を示すブロック図
【図７】GI挿入の動作例を示す図
【図８】実施の形態１に係るPCR処理と共用する場合の無線送信装置の構成例を占めずブロック図
【図９】実施の形態１に係る無線受信装置の構成例を示すブロック図
【図１０】実施の形態１に係る無線送信装置の動作例を示すフローチャート図
【図１１】Extension ZC及びTruncation ZCの一例を示す図
【図１２Ａ】実施の形態１に係る周波数領域におけるOFDMサブキャリア割当例を示す図
【図１２Ｂ】実施の形態１に係るZC系列の一例を示す図
【図１３】ZC系列番号とCMとの関係の一例を示す図
【図１４】実施の形態２に係る無線送信装置の構成例を示すブロック図
【図１５】実施の形態２に係る位相回転処理の一例を示す図
【図１６】実施の形態２に係る無線送信装置の他の構成例を示すブロック図
【図１７】実施の形態２の変形例に係るOFDMサブキャリア割当例を示す図
【図１８】実施の形態２の変形例に係るZC系列の時間領域信号の一例を示す図
【図１９Ａ】実施の形態３に係る無線送信装置の構成例及び動作例を示す図
【図１９Ｂ】実施の形態３に係る無線送信装置の構成例及び動作例を示す図
【図２０】実施の形態４に係る無線送信装置の構成例を示す図
【図２１】実施の形態４に係るBSS-IDとZC系列番号との対応付けの一例を示す図
【図２２】実施の形態４に係る端末情報とZC巡回シフト量との対応付けの一例を示す図
【図２３】実施の形態４に係る無線受信装置の構成例を示す図
【図２４】実施の形態４に係る端末番号とZC巡回シフト量との対応付けの一例を示す図
【図２５】実施の形態４に係る端末情報とZC系列番号との対応付けの一例を示す図
【発明を実施するための形態】
【００１５】
以下、本開示の実施の形態について図面を参照して詳細に説明する。
【００１６】
図１は、WUR信号に対する周波数領域におけるサブキャリア（OFDMサブキャリア）の割当例を示す。図１に示すように、20MHz帯域幅（例えば、64-OFDMサブキャリア、サブキャリア間隔312.5kHz）内の中央部の13サブキャリア（4.06MHz帯域幅に相当。以下、単に「4MHz」と表記する）に係数を設定することが検討されている（例えば、非特許文献２、３、４を参照）。
【００１７】
11baにおいて検討中の時間領域のマンチェスタ符号を用いたOOK変調信号（以下、「マンチェスタ符号化OOK信号（Manchester coded OOK signal）」と呼ぶ）の情報シンボル「0/1」の生成方法の一例が非特許文献３に開示されている。具体的には、情報シンボル‘0’は、シンボル内の信号レベルの高（ON）から低（OFF）への遷移として定義され、情報シンボル‘1’は、シンボル内の信号レベルの低（OFF）から高（ON）への遷移として定義される。
【００１８】
図２は、13サブキャリアへの係数の割当として、7サンプルの一定係数（全サンプルが振幅1.0の係数）を2サブキャリア間隔で割り当てた例を示す（例えば、非特許文献３を参照）。図２に示すように、4MHz帯域内において2サブキャリア間隔のサブキャリア（偶数サブキャリア）に係数が割り当てられることにより、3.2usのFFT（Fast Fourier Transform）区間におけるIFFT（Inverse Fast Fourier Transform）処理後の時間波形は1.6us周期の波形となる。また、図２に示すマンチェスタ符号化において、IFFT処理によって得られた3.2usの時間波形から、前半区間又は後半区間の信号をマスクアウトして1.6usの波形を抽出することにより、マンチェスタ符号化OOK信号（OOK bit）が生成される。
【００１９】
なお、IEEE802.11 OFDM PHYと同様、3.2usの波形に、0.8usのガードインターバル（GI）が付加されることにより、4usのシンボルが得られる。例えば、図３に示すように、マンチェスタ符号化OOK信号内のON信号（ON-Signal）に対応する1.6usの波形の直前に、GIとして0.4usのCP（Cyclic Prefix）を付加することにより、2usのON信号と2usのOFF信号（OFF-Signal）とから成る4usのシンボルが得られる（例えば、非特許文献３を参照）。
【００２０】
WUR信号としては、周波数領域におけるフラットな特性、及び、低CM（Cubic Metric）/PAPR（Peak to Average Power Ratio）特性の２つの特性を両立することが好ましい。周波数領域におけるフラットな特性により、WUR信号の総送信電力を大きくできる効果が得られる。また、低CM/PAPR特性により、アクセスポイント（AP）、端末の消費電力を低減できる効果が得られる。
【００２１】
周波数領域におけるフラットな特性と、低CM/PAPR特性とを有する系列として、CAZAC（Constant Amplitude Zero Auto- Correlation）系列がある。また、CAZAC系列の一つとして、例えば、Zadoff-Chu（ZC）系列がある。
【００２２】
ただし、ZC系列を用いる場合のマンチェスタ符号化OOK信号の生成方法の詳細については十分に検討がなされていない。
【００２３】
例えば、図１と同様に、WUR信号に対して13サブキャリアを割り当てる際、単純に系列長13のZC系列を適用した場合には、マンチェスタ符号化後（マスクアウト後）のOOK変調信号は、図４に示すように周波数領域でのフラットな特性を維持できない。また、図４に示すように、ZC系列の係数が割り当てられた13キャリアの帯域以外に送信スペクトルが広がるため、他の通信への干渉の原因となる。このようなスペクトル形状の変化及び帯域幅の拡大は、ZC系列によるOOK変調信号に限るものではなく、マスクアウトによるマンチェスタ符号化を適用する場合の一般的な課題である。
【００２４】
そこで、本開示の一態様では、周波数領域におけるフラットな特性及び低CM/PAPR特性を有するZC系列を用いたマンチェスタ符号化OOK信号生成方法について説明する。
【００２５】
［通信システムの概要］
本開示の一実施の形態に係る通信システムは、無線送信装置１００及び無線受信装置５００を備える。例えば、無線送信装置１００は、マンチェスタ符号化OOK信号を用いたウェイクアップパケットを送信するアクセスポイント（AP）である。また、無線受信装置５００は、当該ウェイクアップパケットを受信する端末である。
【００２６】
図５は本開示の実施の形態に係る無線送信装置１００の一部の構成を示すブロック図である。図５に示す無線送信装置１００において、信号生成部１０は、CAZAC（Constant Amplitude Zero Auto Correlation）系列を、周波数領域において隣接するＭ個のサブキャリア（Ｍは３以上の整数）のうち所定間隔に配置されたＮ個のサブキャリア（Ｎは２以上の整数）にマッピングし、前記マッピングされたCAZAC系列に対してInverse Fast Fourier Transform（IFFT）処理を行い、IFFT処理により生成された時間領域信号に対してマンチェスタ符号化を行うことにより、OOK（On-Off Keying）変調信号を生成する。無線送信部１０７は、OOK変調信号を送信する。
【００２７】
［無線送信装置の構成］
図６は、本実施の形態に係る無線送信装置１００の構成を示すブロック図である。無線送信装置１００は、ウェイクアップパケットデータを生成し、無線受信装置５００へ送信する。
【００２８】
図６において、無線送信装置１００は、割当指示部１０１と、系列生成部１０２と、サブキャリア割当部１０３と、IFFT部１０４と、マンチェスタ符号化部１０５と、GI挿入部１０６と、無線送信部１０７と、アンテナ１０８と、を有する。なお、割当指示部１０１〜GI挿入部１０６は、マンチェスタ符号化OOK信号を生成するマンチェスタ符号化OOK信号生成部１０を構成する。
【００２９】
割当指示部１０１は、ウェイクアップパケットを割り当てる帯域のサブキャリア数及びサブキャリア間隔を示す情報を系列生成部１０２及びサブキャリア割当部１０３に通知する。例えば、割当指示部１０１は、ウェイクアップパケットを割り当てる帯域のサブキャリア数として、64-OFDMサブキャリア（20MHz帯域幅）内の中央部の13サブキャリア（4.06MHz帯域幅に相当）を指示し、サブキャリア間隔として2サブキャリア間隔を通知してもよい。なお、割当指示部１０１が通知するサブキャリア数及びサブキャリア間隔は、これらの値に限定されるものではない。
【００３０】
系列生成部１０２は、割当指示部１０１から入力される情報に基づいてCAZAC系列（例えば、ZC系列）を生成し、サブキャリア割当部１０３へ出力する。なお、系列生成部１０２における系列生成方法の詳細な動作については後述する。
【００３１】
サブキャリア割当部１０３は、割当指示部１０１から入力される情報（サブキャリア数、サブキャリア間隔等）に基づいて、系列生成部１０２から入力される系列を周波数リソース（サブキャリア）に割り当てる。サブキャリア割当部１０３は、サブキャリア割当後の周波数領域信号（64-OFDMサブキャリア）をIFFT部１０４に出力する。なお、サブキャリア割当部１０３におけるサブキャリア割当方法の詳細な動作については後述する。
【００３２】
IFFT部１０４は、サブキャリア割当部１０３から入力される周波数領域信号に対してIFFT（逆フーリエ変換）処理を行い、時間領域信号（例えば、3.2usの時間領域信号）を得る。
【００３３】
マンチェスタ符号化部１０５は、IFFT部１０４から入力される時間領域信号に対してマンチェスタ符号化を行う。例えば、マンチェスタ符号化部１０５は、入力されるウェイクアップパケットデータ（情報シンボル‘0’又は‘1’）に応じて、IFFT部１０４から入力される時間領域信号（例えば、3.2usの信号）の後半区間及び前半区間の何れか一方の1.6us区間をマスクアウトして、他方の1.6us区間の波形（ON信号）を抽出することにより、マンチェスタ符号化OOK信号を生成する。
【００３４】
GI挿入部１０６は、マンチェスタ符号化部１０５から入力されるマンチェスタ符号化OOK信号内のON信号にGI(ガード区間)を付加する。GI挿入部１０６は、例えば、図７のa),c)に示すように、一定の振幅0期間（Blank GIと呼ばれる）をON信号及びOFF信号全体（ON+OFF信号全体）に付加してもよく、図７のb)に示すようにGIをON信号及びOFF信号のそれぞれに付加してもよい。または、GI挿入部１０６は、図７のd),e)に示すように、Blank GI ではなく、ON信号の一部を先頭又は後尾にコピーしたCP（Cyclic Prefix）をGIとして付加してもよい。GIを付加することで、マルチパス又はフィルタ応答による符号間干渉(ISI; Inter-Symbol Interference)を低減できる。
【００３５】
無線送信部１０７は、GI挿入部１０６から入力されるマンチェスタ符号化OOK信号に対してD/A変換、キャリア周波数にアップコンバート等の所定の無線送信処理を施し、無線送信処理後の信号をアンテナ１０８を介して送信する。
【００３６】
［PCR処理と共用する場合の無線送信装置の構成］
図８は、PCR処理とWUR処理とを共用する場合の無線送信装置１５０の構成を示すブロック図である。なお、図８において、図６に示す無線送信装置１００と同様の構成には同一の符号を付し、その説明を省略する。
【００３７】
具体的には、図８に示す無線送信装置１５０は、図６に示す無線送信装置１００の構成に対して、PCR/WURの切り替え制御を行う切替制御部１５１と、PCRパケットデータのサブキャリア割当を行うPCRサブキャリア割当部１５２と、PCR/WUR切替を行う選択部１５３とが新たに設けられる。
【００３８】
切替制御部１５１は、PCR/WURの選択、及び、マンチェスタ符号化部１０５及びGI挿入部１０６の動作の切替を制御する。具体的には、切替制御部１５１は、PCR時には、マンチェスタ符号化部１０５の機能をOFFにする制御を行う。また、切替制御部１５１は、GI挿入部１０６に対して、PCR時及びWUR時の各仕様に従ったGIの挿入動作を制御する。例えば、図７のc)に示すWUR信号を生成する場合、GI挿入部１０６の時間的な動作（タイミング）はPCR時とWUR時とで共通となり、切替制御部１５１は、CP挿入か（PCR時）、Blank GI挿入か（WUR時）を切り替えることになる。
【００３９】
選択部１５３は、切替制御部１５１からの制御に従って、IFFT部１０４への出力データとして、PCR時にはサブキャリア割当部１５２から入力されるPCRパケットデータを選択し、WUR時にはサブキャリア割当部１０３から入力されるウェイクアップパケットデータを選択する。
【００４０】
IFFT部１０４及びGI挿入部１０６は、PCR/WURに対して共用となる。また、マンチェスタ符号化部１０５はPCR時には機能OFFとなる。
【００４１】
［無線受信装置の構成］
図９は、本実施の形態に係る無線受信装置５００の構成を示すブロック図である。無線受信装置５００は、無線送信装置１００から送信されるウェイクアップパケットデータを受信する。なお、無線受信装置５００は、電力（信号レベル）に基づいてマンチェスタ符号化OOK信号の情報シンボル（0又は1）の判定を行う（envelop detection）。
【００４２】
図９において、無線受信装置５００は、アンテナ５０１と、無線受信部５０２と、低域通過フィルタ部５０３と、GI抜去部５０４と、電力検出部５０５と、オンオフ判定部５０６とを有する。なお、GI抜去部５０４、電力検出部５０５及びオンオフ判定部５０６は、マンチェスタ復号部５０を構成する。
【００４３】
無線受信部５０２は、無線送信装置１００から送信されたウェイクアップパケットをアンテナ５０１を介して受信し、受信した信号にダウンコンバート、A/D変換等の所定の無線受信処理を施し、無線受信処理後の信号を低域通過フィルタ部５０３に出力する。
【００４４】
低域通過フィルタ部５０３は、無線受信部５０２から入力される信号に対して、雑音成分を抑圧するように高域周波数成分をカットするフィルタ処理を行う。
【００４５】
GI抜去部５０４は、低域通過フィルタ部５０３から入力される信号から、無線送信装置１００にて挿入されたGI部分を取り除く処理を行う。
【００４６】
電力検出部５０５は、GI抜去部５０４から入力される信号の電力を検出する。具体的には、電力検出部５０５は、マンチェスタ復号を行うために、情報シンボル区間の前半1.6us及び後半1.6usのそれぞれの総電力を求める。
【００４７】
オンオフ判定部５０６は、電力検出部５０５で求められた情報シンボル区間の前半の総電力と後半の総電力とを大小比較し、情報シンボルの判定を行い、ウェイクアップパケットデータを出力する。
【００４８】
［無線送信装置１００の動作］
次に、上述した無線送信装置１００の動作について詳細に説明する。
【００４９】
図１０は、無線送信装置１００（図６）の動作を示すフローチャートである。
【００５０】
系列生成部１０２は、CAZAC系列を生成する（ＳＴ１０１）。
【００５１】
例えば、系列生成部１０２は、CAZAC系列として、次式（１）に示すZC系列を生成する。
【数１】
2019008916.tif 000003
【００５２】
ここで、qはZC系列の系列番号を示し、1≦q≦NZC-1の整数である。また、NZCはZC系列の系列長を示す。また、mはZC系列を構成するサンプルの番号を示す。
【００５３】
例えば、NZCは、割当指示部１０１から通知されたウェイクアップパケットを割り当てる帯域のサブキャリア数(M)及びサブキャリア間隔(P)に基づいてceil(M/P)（ただし、関数ceil(x)はx以上の整数の最小値を返す関数である）の値に近い素数の値でもよい。すなわち、系列長NZCは、サブキャリア数(M)を所定間隔（P）で割ることにより得られる値以上の最小の素数でもよい。
【００５４】
一例として、本実施の形態では、M=13、P=2とし、ceil(13/2) (=7)の値に近い素数である7をNZCとする。なお、ceil(M/P)とZC系列長とが異なる場合、系列生成部１０２は、ZC系列長をceil(M/P)に合わせるために、図１１に示すように、生成したZC系列の一部を繰り返す方法（extension ZC）又は生成したZC系列の一部を削除する方法（Truncation ZC）を用いてもよい。
【００５５】
次に、サブキャリア割当部１０３は、ウェイクアップパケットを割り当てる帯域のサブキャリア数(M)及びサブキャリア間隔(P)に基づいて、系列生成部１０２において生成されたZC系列をサブキャリアに割り当てる（図１０のＳＴ１０２）。
【００５６】
図１２Ａは、ウェイクアップパケットを割り当てる帯域のサブキャリア数M=13とし、サブキャリア間隔P=2とし、ZC系列の系列長NZC=7とした場合のZC系列のサブキャリア割当例を示す。また、図１２Ｂは、一例として、系列長NZC=7、系列番号q=1のZC系列の各サンプルm=0〜6の値を示す。
【００５７】
サブキャリア割当部１０３は、図１２Ａに示すように、割当指示部１０１から通知されたウェイクアップパケットを割り当てる帯域のサブキャリア(M=13)の位置に、2サブキャリア間隔(P=2)でZC系列を割り当てる。すなわち、サブキャリア割当部１０３は、周波数領域において隣接する13個（M=13）のサブキャリアのうち所定間隔(P=2)に配置された7個（N=7）のサブキャリアにZC系列をマッピングする。
【００５８】
そして、IFFT部１０４は、ZC系列がサブキャリアにマッピングされた周波数領域信号に対してIFFT処理を行い（ＳＴ１０３）、マンチェスタ符号化部１０５は、IFFT処理後の時間領域信号に対してマンチェスタ符号化（マスクアウト）を行ってマンチェスタ符号化OOK信号を生成する（ＳＴ１０４）。そして、無線送信部１０７は、マンチェスタ符号化OOK信号を無線受信装置２００へ送信する（ＳＴ１０５）。
【００５９】
ここで、ZC系列は、フーリエ変換後もZC系列の特性を維持する特徴を有する。よって、2サブキャリア間隔でZC系列をサブキャリアに割り当てた結果、IFFT後の時間領域の波形は、1.6us長のZC系列を2周期繰り返した信号となる。すなわち、マンチェスタ符号化部１０５は、2周期繰り返される1.6us長のZC系列の何れか一方（OFF信号に相当）をマスクアウトし、他方（ON信号に相当）を抽出する。つまり、マンチェスタ符号化OOK信号(マスクアウト後のOOK変調信号のON信号)は1.6us長のZC系列となる。これにより、マンチェスタ符号化OOK信号は、ZC系列が有する周波数領域でのフラットな特性、及び、低CM・PAPR特性の双方を有する。
【００６０】
以上説明したように、本実施の形態では、無線送信装置１００は、CAZAC系列（ZC系列）を所定間隔のサブキャリアにマッピングし、CAZAC系列がマッピングされた周波数領域信号に対してIFFT処理を行い、IFFT処理後の時間領域に対してマンチェスタ符号化を行うことにより、マンチェスタ符号化OOK信号を生成する。この処理により、生成されるマンチェスタ符号化OOK信号では、ZC系列の特性である周波数領域でフラットな特性と低CM/PAPR特性とを維持することができる。
【００６１】
よって、本実施の形態によれば、OFDMベースのマンチェスタ符号を用いたOOK変調信号を適切に生成することができる。これにより、WURの受信性能を向上させることができる。
【００６２】
また、マンチェスタ符号化OOK信号（つまり、WUR信号）において周波数領域でフラットな特性を得ることにより、法規制等によって電力密度レベル（例えば1MHz当たりの送信電力）に制限がある場合でも無線送信装置１００におけるWUR信号の総送信電力を大きくすることができる。また、周波数ダイバーシチ効果によって、無線受信装置５００におけるWUR信号の検出性能を改善することができる。具体的な効果の例としては、周波数選択性による一部帯域の品質劣化による性能劣化を抑えることができる。
【００６３】
また、マンチェスタ符号化OOK信号（つまり、WUR信号）において低CM/PAPR特性を得ることにより、最大送信電力の小さい送信機でも所要平均送信電力が得られるため、無線送信装置１００の消費電力を低減できる。
【００６４】
＜実施の形態１の変形例１＞
なお、本実施の形態では、CAZAC系列がマッピングされるサブキャリアの間隔を２サブキャリア間隔とする場合について説明した。しかし、CAZAC系列がマッピングされるサブキャリアの間隔は2サブキャリア間隔に限定されない。例えば、サブキャリア間隔(P=4)の場合、無線送信装置１００は、マンチェスタ符号化OOK信号をレピティションした信号を生成してもよい。具体的には、無線送信装置１００は、系列NZC=3のZC系列を、4サブキャリア間隔で4MHz帯域にマッピングしてもよい。これにより、128点IFFT処理後の時間領域の波形は、1.6us長のZC系列が4周期繰り返した信号となる。マンチェスタ符号化部１０５は、例えば、4周期のZC系列のうち、2番目と4番目のZC系列をマスクすることにより情報シンボル‘0’のレピティション信号を生成し、1番目と3番目のZC系列をマスクすることにより情報シンボル‘1’のレピティション信号を生成することが可能となる。また、無線送信装置１００は、マスクのパターンを増やすことにより、レピティションに限らず任意のデータの組み合わせによる2シンボルのマンチェスタ符号化OOK信号を一度に生成することもできる。
【００６５】
＜実施の形態１の変形例２＞
系列生成部１０２で生成されるZC系列は、系列番号によってCM/PAPRが異なる。そこで、無線送信装置１００は、CM/PAPRが最も低い系列番号を用いてマンチェスタ符号化OOK信号を生成することで、無線受信装置５００（端末）の消費電力をより低減できる効果がある。例えば、図１３に示すように、系列長が7のZC系列（Nzc = 7）は、系列番号「q=1又はNzc-1」を用いた場合にCMが最も低くなる。Nzc = 8〜97でも同様に系列番号「q=1又はNzc-1」を用いた場合にCMが最も低くなる。そこで、無線送信装置１００（系列生成部１０２）は系列番号「q=1又はNzc-1」のZC系列を用いてマンチェスタ符号化OOK信号を生成してもよい。このように、系列番号「q=1又はNzc-1」のZC系列に限定することで、無線受信装置５００（端末）の消費電力をより低減することができる。
【００６６】
（実施の形態２）
マンチェスタ符号化OOK信号のON信号内の端部の送信電力が高い場合、マルチパス又はフィルタ応答による符号間干渉（シンボル間干渉と呼ばれることもある）(ISI: Inter-Symbol Interference)の影響により、高い電力領域の信号成分が、隣接するOFF信号領域に重畳して干渉となり、WUR性能が劣化してしまう。
【００６７】
また、受信側では、マンチェスタ符号化OOK信号に含まれるCP部分を取り除いて復号処理を行う。このため、ON信号内の端部がCPである場合、送信電力が高いCP部分が取り除かれてしまい、電力効率が低下してしまう。
【００６８】
そこで、本実施の形態では、マンチェスタ符号化OOK信号内のON信号の波形内における送信電力の増減に伴うWUR性能の劣化又は電力効率の低下を防止する方法について説明する。
【００６９】
なお、本実施の形態に係る無線受信装置は、実施の形態１に係る無線受信装置５００と基本構成が共通するので、図９を援用して説明する。
【００７０】
［無線送信装置の構成］
図１４は、本実施の形態に係る無線送信装置２００の構成を示すブロック図である。なお、図１４において、実施の形態１（図６）と同様の構成には同一の符号を付し、その説明を省略する。
【００７１】
無線送信装置２００において、位相回転部２０１は、サブキャリア割当部１０３から入力される信号に対して位相回転を施す。具体的には、位相回転部２０１は、後段のマンチェスタ符号化部１０５において生成されるマンチェスタ符号化OOK信号内のON信号の区間内の時間波形における電力ピークが当該ON信号の区間内の中央部分に配置されるように周波数領域の信号に対して位相回転を実施する。そして、位相回転部２０１は、位相回転後の信号をIFFT部１０４に出力する。
【００７２】
以下、位相回転部２０１の動作について詳細に説明する。
【００７３】
ここでは、系列生成部１０２において生成される系列として、ZC系列を用いる場合について説明する。
【００７４】
図１５は、系列長Nzc=7、系列番号q=1のZC系列を割当帯域のサブキャリア(M=13)の位置にサブキャリア間隔P=2で割り当てた場合の周波数スペクトラム及び時間波形を示す。
【００７５】
図１５に示すように、周波数領域ではサブキャリア間隔(P=2)毎に一定振幅(1.0)となっているが、オーバサンプリングの影響により、IFFT後の時間波形は一定とならない。このため、送信電力が高い部分が時間波形の両端部にある場合、マルチパス又はフィルタ応答による符号間干渉(ISI)の影響により、高い電力領域の信号成分がマンチェスタ符号化後のOFF信号領域に重畳して干渉となり、WUR性能が劣化してしまう。
【００７６】
これに対して、無線送信装置２００では、位相回転部２０１は、サブキャリア割当部１０３から入力される周波数領域の出力信号に対して位相回転を行う。フーリエ変換の性質により、周波数領域の出力信号に対して位相回転を行うことによって、時間領域では、図１５に示すように、時間波形を巡回シフトすることができる。すなわち、位相回転部２０１は、送信電力の高い部分が時間波形の両端部とならないように時間波形を巡回シフトする。こうすることにより、マルチパス又はフィルタ応答による符号間干渉(ISI)の影響による性能劣化を改善することができる。
【００７７】
このように、本実施の形態によれば、ON信号の時間波形内における送信電力の増減に伴うISIを低減でき、WUR性能を向上させることができる。また、CPを用いる場合は、電力効率も改善できる。
【００７８】
なお、図１４に示す無線送信装置２００が備える位相回転部２０１の代わりに、図１６に示す無線送信装置３００のように、IFFT部１０４の出力である時間領域信号に対して巡回シフトを行う巡回シフト部３０１を備えてもよい。巡回シフト部３０１は、マンチェスタ符号化OOK信号内のON信号の区間内の時間波形における電力ピークが当該ON信号の区間内の中央部分に配置されるように、時間領域信号に対して巡回シフトを行う。これにより、位相回転を施す場合と同様の効果を得ることができる。
【００７９】
また、ZC系列を用いる場合、ON信号の区間内の時間波形における電力ピークをON信号の中央部分に配置するための位相回転量又は巡回シフト量についてはZC系列番号qに依存する。そこで、無線送信装置２００，３００は、ZC系列番号毎に、位相回転量又は巡回シフト量を変えてもよい。これにより、全ての系列番号において、時間波形における電力のピーク値を中央部分に配置することができるので、マルチパス又はフィルタ応答による符号間干渉(ISI)の影響による性能劣化を改善することができる。
【００８０】
＜実施の形態２の変形例＞
系列生成部１０２で生成される系列はZC系列に限らず、サブキャリア係数が一定の系列でもよい。例えば、図２に示すように、13サブキャリアへの係数の割り当てとし、7サンプルの一定係数（全サンプルが振幅1.0の係数）を2サブキャリア間隔で割り当てる例（非特許文献２を参照）について説明する。
【００８１】
図１７は、サブキャリア毎のの位相回転量をπとした場合の系列の一例を示す。位相回転量がπの場合、図１７に示すように、サブキャリア係数の値は、2サンプル毎に-1, +1, -1, +1, -1, +1, -1のように符号反転した値となる。図１７に示す位相回転により、図１８に示すように、ON信号内の時間波形における電力ピークをON信号の中央部分に配置することができる。2サンプル毎に符号反転した値となる係数は、IEEE 802.11 OFDM PHYにおけるBPSK等のサブキャリア変調の信号点に対応させることができるので、OFDM PHYの変調部をそのままWUR信号の生成に使用することができる。これにより、無線送信装置２００，３００の構成を更に簡略化できる効果がある。
【００８２】
なお、サブキャリア毎の位相回転量は、πに限定されず、ON信号内の時間波形における電力ピークがON信号の両端部分に配置されない値であればよい。
【００８３】
また、上述サブキャリア係数の値は相対的な値であり、所望の送信電力を実現するために一定の正規化係数を乗算することができる。また、同等のスペクトル及びCM/PAPR特性を有する変形として、全係数に一定の位相回転を与えて得られる値をサブキャリア係数として使用してもよい。これらは本実施の形態に限るものではなく、本開示における全てのサブキャリア係数に適用される。
【００８４】
（実施の形態３）
本実施の形態では、ZC系列を用いて、ウェイクアップパケットを割り当てる13サブキャリア全てに係数を割り当てる場合（つまり、１サブキャリア間隔で係数を割り当てる場合）でも、周波数領域においてフラットな特性と低CM/PAPR特性とを有するOOK波形を生成する方法について説明する。
【００８５】
なお、本実施の形態に係る無線受信装置は、実施の形態１に係る無線受信装置５００と基本構成が共通するので、図９を援用して説明する。
【００８６】
図１９Ａ又は図１９Ｂは、本実施の形態に係る無線送信装置１００ａの構成及び動作例を示す図である。なお、図１９Ａ及び図１９Ｂにに示す無線送信装置１００ａにおいて、実施の形態１（図６）と同様の構成には同一の符号を付し、その説明を省略する。具体的には、無線送信装置１００ａにおいて、系列生成部１０２ａの動作が実施の形態１と異なる。
【００８７】
図１９Ａ及び図１９Ｂに示す系列生成部１０２ａは、ZC系列生成部１２１とサンプル選択部１２２を備える構成を採る。
【００８８】
なお、図１９Ａ及び図１９Ｂでは、ウェイクアップパケットデータが13サブキャリア全てに割り当てられる例を示す。すなわち、図１９Ａ及び図１９Ｂでは、系列生成部１０２ａは、13サブキャリアにそれぞれ割り当てられる13サンプルの系列を生成する。
【００８９】
また、以下では、系列生成部１０２ａにおいて生成されるZC系列を構成する複数のサンプルのうち、隣接するサンプル間の位相差を「mod 2π」（2πのモジュロ演算）で表す。すなわち、ZC系列の隣接するサンプル間の位相差は0以上2π未満の値となる。
【００９０】
この場合、無線送信装置１００ａは、図１９Ａ及び図１９Ｂに示すように、隣接するサンプル間の位相差が、サンプル（サンプル番号）の増加に伴って単調増加するZC系列を用いる。例えば、図１９Ａ及び図１９Ｂでは、系列番号q=1のZC系列において、サンプルm=0からm=28に渡って、隣接するサンプル間の位相差が、0〜2πの区間において単調増加している。
【００９１】
具体的には、図１９Ａに示すように、無線送信装置１００ａは、ZC系列のサンプル間の位相差が0からπとなる区間において、位相差が単調増加する13サンプルをサブキャリア係数として用いて、第一の時間波形（例えば、情報シンボル‘0’に相当）を生成する。
【００９２】
一方、図１９Ｂに示すように、無線送信装置１００ａは、ZC系列のサンプル間の位相差がπから2πとなる区間において、位相差が単調増加する13サンプルをサブキャリア係数として用いて、第二の時間波形（例えば、情報シンボル‘1’に相当）を生成する。
【００９３】
このようにサンプル間の位相差の区間のうち、前半区間（0からπ）又は後半区間（πから2π）の区間の位相差が単調増加するサンプルをサブキャリアに割り当てた場合、フーリエ変換の性質により、IFFT処理後の時間領域の信号波形として、信号成分が前半又は後半に集中した時間波形が得られる。具体的には、図１９Ａでは、信号成分が前半に集中した第一の時間波形が得られ、図１９Ｂでは、信号成分が後半に集中した第二の時間波形が得られる。つまり、図１９Ａでは、時間波形の前半区間をON信号とし、後半区間をOFF信号とするマンチェスタ符号化OOK信号が生成される。同様に、図１９Ｂでは、時間波形の前半区間をOFF信号とし、後半区間をON信号とするマンチェスタ符号化OOK信号が生成される。
【００９４】
よって、このようにして得られた２種類の時間波形は、マンチェスタ符号化部１０５においてマスク処理をしなくてもマンチェスタ符号化OOK信号として使用することができる。なお、マンチェスタ符号化部１０５において時間波形を整形するためにマスク処理を施してもよく、この場合でも、マスク処理によるスペクトルの乱れを低減することができる。
【００９５】
より具体的には、系列生成部１０２ａのZC系列生成部１２１は、上述した系列の性質を満たすサンプルを選定するために、系列長が使用キャリア数の2倍以上であるZC系列を生成する。図１９Ａ及び図１９Ｂでは、ZC系列生成部１２１は、使用キャリア数13の2倍以上である系列長29のZC系列を生成する。この際、ZC系列生成部１２１は、上述したように、CM/PAPRが最も低い系列番号「q=1又はNZC-1」のZC系列を生成してもよい。
【００９６】
また、系列生成部１０２ａのサンプル選択部１２２は、入力されるウェイクアップパケットデータ（情報シンボル‘0’又は‘1’）に応じて、ZC系列生成部１２１から入力されるZC系列の前半部分（図１９Ａでは前半のm=0〜13）又は後半部分（図１９Ｂでは後半のm=14〜28）から、位相差が単調増加する13サンプルを選択し、帯域中央の所定範囲の全サブキャリア(13サブキャリア)に割り当てるサブキャリア係数を生成する。
【００９７】
なお、図１９Ａ及び図１９Ｂでは、サンプル間の位相差が単調増加するZC系列（例えば、系列番号q=1）について説明したが、サンプル間の位相差が単調減少するZC系列（例えば、系列番号q=NZC-1）についても同様である。
【００９８】
また、図１９Ａ及び図１９Ｂでは、ウェイクアップパケットデータが割り当てられるサブキャリア数（13サブキャリア）の2倍に近い系列長NZC=29のZC系列を生成する場合について説明した。しかし、ZC系列生成部１２１が生成するZC系列は、使用サブキャリア数の2倍に近い系列長のZC系列に限定されない。ZC系列生成部１２１は、位相差が単調増加（又は単調減少）するZC系列であれば、使用サブキャリア数の2倍に近い系列長よりも更に長い系列長のZC系列を用いてもよい。
【００９９】
ZC系列の前半又は後半のサンプル数が、ウェイクアップパケットデータが割り当てられるサブキャリア数より多い場合、サンプル選択部１２２は、ZC系列を構成する前半又は後半のサンプルの中の一部（使用サブキャリア数に相当する範囲）を選択してもよい。図１９Ａ及び図１９Ｂに示すように、ZC系列の前半13サンプル又は後半13サンプルを抜き取ることは、0からπの位相差の区間又はπから2πの位相差の区間を区切って切り出すことになる。これにより、フーリエ変換の性質によって、図１９Ａ及び図１９Ｂに示すように、時間波形として、前半又は後半に電力（振幅）が集中した信号波形が得られる。
【０１００】
次に、マンチェスタ符号化部１０５の動作について詳細に説明する。以下、本実施の形態に係るマンチェスタ符号化方法１、２及び３についてそれぞれ説明する。
【０１０１】
＜マンチェスタ符号化方法１＞
マンチェスタ符号化部１０５は、IFFT後の時間波形に対して、実施の形態１と同様に、マンチェスタ符号化（前半又は後半をマスクアウト）することにより、OOK情報シンボル‘0’又はOOK情報シンボル‘1’を生成する。
【０１０２】
これにより、OFF信号の送信信号電力が0となるため、受信処理によるON信号とOFF信号との電力差が大きくなり、無線受信装置５００のオンオフ判定部５０６での信号検出精度を向上させることができる。
【０１０３】
＜マンチェスタ符号化方法２＞
マンチェスタ符号化部１０５は、IFFT後の時間波形に対して、RRC（ルートレイズドコサインフィルタ）等の窓関数をOFF信号の一部に乗算することにより、OOK情報シンボル‘0’又はOOK情報シンボル‘1’を生成する。
【０１０４】
これにより、時間波形の連続性が維持され、帯域外への与干渉を低減し、帯域内の周波数フラット性が向上するという効果が得られる。窓関数の最もシンプルな例として、マンチェスタ符号化部１０５は、周波数領域においてZC系列のサンプルが割り当てられる上端及び下端のサブキャリアに、１より小さい所定の係数を乗算してもよい。所定の係数として、0.5又は0.5の平方根を用いてもよい。良好な窓関数効果を得るためには、所定の係数を、0.5以上、0.5の平方根以下とするのが好ましい。
【０１０５】
＜マンチェスタ符号化方法３＞
マンチェスタ符号化部１０５は、IFFT後の時間波形に対して、マスクアウト又は窓関数を乗算せずに、OOK情報シンボル‘0’又はOOK情報シンボル‘1’を生成する。
【０１０６】
上述したように、本実施の形態に係る系列生成方法では、時間波形の前半又は後半に電力が集中した信号波形が得られる。このため、マスクアウト又は窓関数が乗算されなくても、ON信号及びOFF信号を得ることができ、マンチェスタ符号化と同様な効果を得ることができる。
【０１０７】
これにより、生成したZC系列の周波数特性(周波数フラット)が維持され、帯域外への与干渉を低減することができるという効果が得られる。
【０１０８】
以上、マンチェスタ符号化方法１、２及び３について説明した。
【０１０９】
なお、マンチェスタ符号化部１０５は、WUR信号が割り当てられるリソースの周辺のリソースにおける他の信号の割当状況に応じて、マンチェスタ符号化方法１、２及び３を切り替えてもよい。例えば、周辺リソースにおける信号の割り当てがない場合（帯域外へ与干渉の影響が小さい場合）、マンチェスタ符号化方法１の使用により、WUR信号の受信性能を向上させことができる。また、周辺リソースにおける信号の割り当てがある場合（帯域外への与干渉の影響が大きい場合）、マンチェスタ符号化方法２又は３の使用により、帯域外への与干渉を低減させることができる。
【０１１０】
また、マンチェスタ符号化方法２は、本実施形態に限らず、実施の形態１及び実施の形態２におけるマスクアウトの代わりに使用されてもよい。これにより、スペクトルの乱れをマスクアウトよりも小さくできるため、帯域外へ与干渉を低減し、帯域内の周波数フラット性を向上させることができる。
【０１１１】
このように、本実施の形態では、ウェイクアップパケットデータを割り当てる全サブキャリアに係数を設定する場合（１サブキャリア間隔の場合）に、無線送信装置１００ａは、複数のサンプルのうち隣接するサンプル間の位相差が、サンプル番号mの増加に伴って単調増加又は単調減少するZC系列を用いる。具体的には、無線送信装置１００ａは、位相差を0から2πの区間で表す場合（位相差を「mod 2π」で表す場合）、位相差が０からπの区間内のサンプルをサブキャリアにそれぞれマッピングすることにより、情報シンボル‘0’に対応する時間波形を有するマンチェスタ符号化OOK信号を生成し、位相差がπから２πの区間内のサンプルをサブキャリアにそれぞれマッピングすることにより、情報シンボル‘1’に対応する時間波形を有するマンチェスタ符号化OOK信号を生成する。
【０１１２】
これにより、本実施の形態によれば、ZC系列を用いて、ウェイクアップパケットを割り当てる13サブキャリア全てに係数を割り当てる場合でも、周波数領域においてフラットな特性と低CM/PAPR特性とを有するOOK波形を生成することができる。
【０１１３】
なお、本実施の形態ではZC系列を用いる例について説明したが、本実施の形態において設定されるサブキャリア係数はZC系列に限定せず、上述した位相差の特性を有する系列に対しても同様に適用することができる。上述した位相差の特性を有する系列を用いることで、無線送信装置１００ａは、周波数領域におけるフラットな特性と低CM/PAPR特性とを有するOOK波形を生成することができる。
【０１１４】
また、ZC系列のサンプル間の位相差は、厳密な単調増加（又は単調減少）でなくてもよく、一部の区間を除いた大半の区間（好ましくは80%以上の区間）において単調増加（単調減少）となるような、実質的な単調増加（又は単調減少）であればよい。
【０１１５】
以下では、特殊な例として、サンプル間の位相差が一定、すなわち単調増加の増加量を０とした場合について説明する。
【０１１６】
無線送信装置１００ａは、サンプル間の位相差が0からπの区間内の一定値になるサンプルをサブキャリア係数として用いて第一の波形（例えば、情報シンボル‘0’に相当）を生成する。好ましくは、一定の値としてπ/2を用いてもよい。
【０１１７】
また、無線送信装置１００ａは、サンプル間の位相差がπから2πの区間内の一定値になるサンプルをサブキャリア係数として用いて第二の波形（例えば、情報シンボル‘1’に相当）を生成する。好ましくは、一定の値として(3/2)πを用いてもよい。または、等価的に、一定の値として-π/2を用いてもよい。
【０１１８】
具体例として、無線送信装置１００ａは、位相差がπ/2となるサンプル列［−１，−ｊ，＋１，＋ｊ］を繰り返しサブキャリア係数としてサブキャリアに割り当てて第一の波形を生成し、位相差が-π/2になるサンプル列［−１，ｊ，＋１，−ｊ］を繰り返しサブキャリア係数としてサブキャリアに割り当てて第二の波形を生成してもよい。ただし、jは虚数単位である。または、無線送信装置１００ａは上記サンプルを一定量（例えばπ/4）位相回転させたサンプル列を用いてもよい。
【０１１９】
上記具体例によれば、サブキャリア係数をIEEE 802.11 OFDM PHYにおけるQPSK又はQAM等のサブキャリア変調の信号点に対応させることができるので、OFDM PHYの変調部をそのままWUR信号の生成に使用することができる。これにより、無線送信装置１００ａの構成をさらに簡略化できる効果がある。
【０１２０】
（実施の形態４）
本実施の形態では、無線受信装置において相関検出することを前提とし、無線送信装置において複数の系列番号又は巡回シフト(CS：Cyclic-shift)のZC系列の何れかを用いてWUR信号を送信する方法について説明する。
【０１２１】
［無線送信装置の構成］
図２０は、本実施の形態に係る無線送信装置４００の構成例を示すブロック図である。なお、図２０において、実施の形態１（図６）又は実施の形態２（図１６）と同様の構成には同一の符号を付し、その説明を省略する。
【０１２２】
無線送信装置４００において、端末情報マッピングテーブル４０１では、端末（後述する無線受信装置６００）に通知するパラメータ情報である端末情報（例えば、BSS-ID又は送信バッファサイズ等）と、複数のZC系列（異なるZC系列番号又は異なる巡回シフト量）とが対応付けられる。一例として、図２１は、BSS-IDとZC系列との対応付けを示し、図２２は、送信バッファサイズとZC系列の巡回シフト量との対応付けを示す。
【０１２３】
なお、端末情報とZC系列情報（ZC系列番号又は巡回シフト量）との対応付けは図２１、図２２に示す例に限定されるものではない。また、端末情報も図２１、図２２に示す例（BSS-ID、送信バッファサイズ）に限定されず、他の情報（例えば、WURスケジュール情報（デューティサイクル又は期間））等の無線送信装置５００（AP）と無線受信装置６００（端末）との間でやり取りしたいパラメータ情報でもよい。
【０１２４】
系列生成部４０２は、端末情報マッピングテーブル４０１において決定されたZC系列番号に基づいてZC系列を生成し、巡回シフト部４０３は、端末情報マッピングテーブル４０１において決定された巡回シフト量に基づいて、実施の形態２（図１６を参照）と同様にしてIFFT後の信号の巡回シフトを行う。
【０１２５】
［無線受信装置の構成］
図２３は、本実施の形態に係る無線受信装置６００の構成例を示すブロック図である。なお、図２３において、実施の形態１（図９）と同様の構成には同一の符号を付し、その説明を省略する。
【０１２６】
無線受信装置６００において、系列生成部６０１は、無線送信装置５００がウェイクアップパケットデータ（マンチェスタ符号化OOK信号）の生成に用いる可能性のあるZC系列を生成する。具体的には、系列生成部６０１は、複数のZC系列番号又は複数の巡回シフト量を選択し、選択したZC系列番号又は巡回シフト量にそれぞれ対応する複数のZC系列を生成する。
【０１２７】
相関検出部６０２は、系列生成部６０１で生成された複数のZC系列を用いて、GI抜去部５０４から入力される、GI抜去後の受信信号との相関検出を行い、複数の相関値を判定部６０３に出力する。
【０１２８】
判定部６０３は、相関検出部６０２から入力される、複数の相関値（複数の系列番号・巡回シフト量に対応した相関値）を比較して、ウェイクアップパケットデータとして、どの系列番号又はどの巡回シフト量が使用されているかを判定し、判定結果を端末情報マッピングテーブル６０４に出力する。
【０１２９】
端末情報マッピングテーブル６０４には、端末情報マッピングテーブル４０１と同様、端末情報とZC系列情報（ZC系列番号又は巡回シフト量）とが対応付けられている（例えば、図２１又は図２２を参照）。端末情報マッピングテーブル６０４は、判定部６０３において判定された系列番号又は巡回シフト量に対応付けられた端末情報（BBS-ID、送信バッファサイズ等）を読み取って出力する。例えば、図２１に示す端末情報マッピング例の場合、端末情報マッピングテーブル６０４は、判定された系列番号に対応付けられたBSS-IDを読み取る。また、図２２に示す端末情報マッピング例の場合、端末情報マッピングテーブル６０４は、判定された巡回シフト量に対応付けられた送信バッファサイズを読み取る。
【０１３０】
次に、端末情報とZC系列とのマッピングの具体例4-1、4-2、4-3についてそれぞれ説明する。
【０１３１】
＜具体例４−１＞
無線送信装置４００の端末情報マッピングテーブル４０１では、隣接BSS間でZC系列番号が異なるように設定される。
【０１３２】
例えば、図２１に示すように、ZC系列番号qが異なる複数のZC系列は、異なるBSS（BSS-ID）にそれぞれ対応付けられる。
【０１３３】
無線受信装置６００は、判定部６０３で判定されたZC系列番号と、端末情報マッピングテーブル６０４の端末情報マッピング（例えば、図２１を参照）とからBSS-IDを得ることができる。
【０１３４】
異なるZC系列番号のZC系列間の相互相関は低い（理想的には1/√Nzcとなる）ので、隣接BSSからの干渉を低減できる効果がある。
【０１３５】
＜具体例４−２＞
図２４に示すように、無線送信装置４００の端末情報マッピングテーブル４０１では、ウェイクアップパケットを送信する対象の端末（無線受信装置６００）毎に、選択される巡回シフト量が異なる。すなわち、複数のZC系列は、異なる端末にそれぞれ対応付けられる。
【０１３６】
異なる巡回シフト量のZC系列は受信側で直交するため、各端末（無線受信装置６００）は、自機宛ての信号成分を抽出することができる。すなわち、無線送信装置４００は、複数の端末向けの信号をCDM多重することができる。
【０１３７】
これにより、収容端末数を増加することができる効果がある。
【０１３８】
＜具体例４−３＞
図２５に示すように、複数のZC系列（ZC系列番号ｑ、又は巡回シフト量でもよい）は、所定の端末情報（例えば、送信バッファサイズ）に一意に対応付けられる。
【０１３９】
無線送信装置４００は、ウェイクアップパケットデータを送信する端末（無線受信装置６００）に対して通知する端末情報に対応付けられたZC系列（ZC系列番号q）を用いて、マンチェスタ符号化OOK信号を生成する。すなわち、無線送信装置４００は、ウェイクアップパケットデータを用いて、他のパラメータ（ここでは送信バッファサイズ）を無線受信装置６００へ暗黙的に通知する。
【０１４０】
また、複数の系列番号は、複素共役の関係となるq=Xとq=NZC-Xとしてもよい。これにより、受信処理を簡易化することができる。Xの値としては、上述したように、低CM/PAPR特性を有するX=1（すなわち、q=1又はNZC-1）でもよい。
【０１４１】
無線送信装置４００は、受信したウェイクアップパケットデータに使用されたZC系列（ZC系列番号q）に対応付けられた端末情報（ここでは送信バッファサイズ）を特定する。
【０１４２】
このように、具体例4-3によれば、新たなシグナリング情報の追加なく、マンチェスタ符号化OOK信号を用いて端末情報を通知することができる。
【０１４３】
以上、具体例4-1、4-2、4-3について説明した。
【０１４４】
なお、本実施の形態では、マンチェスタ符号化を用いる場合について説明したが、マンチェスタ符号化を行わない場合のOFDM変調を用いたOOK信号波形生成にも適用することができる。例えば、情報シンボル‘0’及び‘1’のそれぞれにON信号とOFF信号とを1対1で割り当てる場合、又は、情報シンボル‘0’及び‘1’のそれぞれにON/OFF信号の組み合わせを割り当てる場合等も含む。
【０１４５】
また、本実施の形態は、実施の形態１〜３と組み合わせてもよい。
【０１４６】
また、図２０では、無線送信装置４００が巡回シフト部４０３を備える場合について説明したが、無線送信装置４００は、実施の形態１（図６）と同様、巡回シフト部を備えない構成でもよい。この場合、端末情報マッピングテーブル４０１では、端末情報とZC系列番号との対応付けが決定される。
【０１４７】
また、本実施の形態では、一例として、BSS-IDとZC系列とを対応付ける場合について説明したが、ZC系列に対応付けられるパラメータは、BSS-IDに限らず、例えば、AP又はセルのグループでもよい。
【０１４８】
以上、本開示の一実施の形態について説明した。
【０１４９】
なお、上記実施の形態では、13個（M=13)のサブキャリア（4.06MHz帯域幅に相当）に対して系列長が7（N=7）のZC系列を適用する場合（すなわち、7個のサブキャリアにZC系列をマッピングする場合）について説明した（ただし、Mは３以上の整数、Nは２以上の整数）。しかし、サブキャリア数が13以外の数Mに対してZC系列を割り当てる場合も同様に、系列長(M+1)/2(M:奇数)又はM/2(M:偶数)のZC系列を適用してもよい。
【０１５０】
また、複素数で表されるZC系列のサンプル値をそのままサブキャリア係数として用いる代わりに、例えば、IEEE 802.11 OFDM PHYで用いられるQAMの信号空間にマッピングして、コンスタレーションを構成する信号点で近似してもよい。これにより、OFDM PHY変調部をWUP信号の生成にも利用することができ、無線送信装置の構成を簡略化することができる。
【０１５１】
また、本開示はWURに限らず、超低消費電力無線通信など、他の無線通信システムにも適用可能である。
【０１５２】
また、上記実施の形態では、CAZAC系列としてZC系列を用いる場合について説明したが、ZC系列に限定されず、他の系列を用いてもよい。
【０１５３】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１５４】
本開示の無線送信装置は、CAZAC（Constant Amplitude Zero Auto Correlation）系列を、周波数領域において隣接するＭ個のサブキャリア（Ｍは３以上の整数）のうち所定間隔に配置されたＮ個のサブキャリア（Ｎは２以上の整数）にマッピングし、前記マッピングされたCAZAC系列に対してInverse Fast Fourier Transform（IFFT）処理を行い、前記IFFT処理により生成された時間領域信号に対してマンチェスタ符号化を行うことにより、OOK（On-Off Keying）変調信号を生成する信号生成回路と、前記OOK変調信号を送信する送信部と、を具備する。
【０１５５】
本開示の無線送信装置において、前記所定間隔は、２サブキャリア間隔であり、前記信号生成回路は、前記マンチェスタ符号化において、前記時間領域信号の前半区間及び後半区間の何れか一方をマスクアウトすることにより、前記OOK変調信号を生成する。
【０１５６】
前記CAZAC系列は、系列長NZCの複数のZC（Zadoff-Chu）系列のうちの一つであり、前記Ｍは、前記OOK変調信号を送信する帯域幅に含まれるサブキャリア数であり、前記系列長NZCは、前記Ｍを前記所定間隔で割ることにより得られる値以上の最小の素数である。
【０１５７】
本開示の無線送信装置において、前記CAZAC系列は、系列長NZCの複数のZC（Zadoff-Chu）系列のうちの一つであり、前記信号生成回路は、前記複数のZC系列のうち系列番号が1又はNZC-1の前記ZC系列を用いて、前記OOK変調信号を生成する。
【０１５８】
本開示の無線送信装置において、前記信号生成回路は、更に、前記OOK変調信号内のON区間内の時間波形における電力ピークが、当該ON区間内の中央部分に配置されるように、前記マッピングされたCAZAC系列に対して位相回転を行う。
【０１５９】
本開示の無線送信装置において、前記信号生成回路は、更に、前記OOK変調信号内のON区間内の時間波形における電力ピークが、当該ON区間内の中央部分に配置されるように、前記時間波形に対して巡回シフトを行う。
【０１６０】
本開示の無線送信装置において、前記所定間隔は１サブキャリア間隔であり、前記CAZAC系列はZC（Zadoff-Chu）系列であって、前記ZC系列を構成する複数のサンプルのうち隣接するサンプル間の位相差が、前記サンプル番号の増加に伴って単調増加又は単調減少し、前記信号生成回路は、前記位相差を0から2πの区間で表す場合、前記位相差が０からπの区間において、前記位相差が単調増加又は単調減少する複数のサンプルを前記サブキャリアにそれぞれマッピングすることにより、第１の時間波形を有する前記OOK変調信号を生成し、前記位相差がπから２πの区間において、前記位相差が単調増加又は単調減少する複数のサンプルを前記サブキャリアにそれぞれマッピングすることにより、前記第１の時間波形に対してON信号及びOFF信号が反転した第２の時間波形を有する前記OOK変調信号を生成する。
【０１６１】
本開示の無線送信装置において、前記信号生成回路は、複数の前記CAZAC系列のうちの１つのCAZAC系列を用いて前記OOK変調信号を生成する。
【０１６２】
本開示の無線送信装置において、前記複数のCAZAC系列は、系列番号又は巡回シフト量が異なる複数のZC（Zadoff-Chu）系列であり、前記複数のZC系列は、異なるグループにそれぞれ対応付けられている。
【０１６３】
本開示の無線送信装置において、前記複数のCAZAC系列は、系列番号又は巡回シフト量が異なる複数のZC（Zadoff-Chu）系列であり、前記複数のZC系列は、異なる無線受信装置にそれぞれ対応付けられている。
【０１６４】
本開示の無線送信装置において、前記複数のCAZAC系列は、系列番号又は巡回シフト量が異なる複数のZC（Zadoff-Chu）系列であり、前記複数のZC系列の各々は、パラメータ情報に一意に対応付けられ、前記信号生成回路は、前記複数のZC系列のうち、前記無線受信装置へ通知する前記パラメータ情報に対応付けられた前記ZC系列を用いて前記OOK変調信号を生成する。
【０１６５】
本開示の送信方法は、CAZAC（Constant Amplitude Zero Auto Correlation）系列を、周波数領域において隣接するＭ個のサブキャリア（Ｍは３以上の整数）のうち所定間隔に配置されたＮ個のサブキャリア（Ｎは２以上の整数）にマッピングし、前記マッピングされたCAZAC系列に対してInverse Fast Fourier Transform（IFFT処理）を行い、前記IFFT処理により生成された時間領域信号に対してマンチェスタ符号化を行うことにより、OOK（On-Off Keying）変調信号を生成し、前記生成されたOOK信号変調を送信する。
【産業上の利用可能性】
【０１６６】
本開示の一態様は、移動通信システムに有用である。
【符号の説明】
【０１６７】
１００，１００ａ，１５０，２００，３００，４００  無線送信装置
１０１  割当指示部
１０２，１０２ａ，４０２，６０１  系列生成部
１０３，１５２  サブキャリア割当部
１０４  IFFT部
１０５  マンチェスタ符号化部
１０６  GI挿入部
１０７  無線送信部
１０８，５０１  アンテナ
１２１  ZC系列生成部
１２２  サンプル選択部
１５１  切替制御部
１５３  選択部
５００，６００  無線受信装置
５０２  無線受信部
５０３  低域通過フィルタ部
５０４  GI抜去部
５０５  電力検出部
５０６  オンオフ判定部
２０１  位相回転部
３０１，４０３  巡回シフト部
４０１，６０４  端末情報マッピングテーブル
６０２  相関検出部
６０３  判定部
【図１】
2019008916.tif 000004
【図２】
2019008916.tif 000005
【図３】
2019008916.tif 000006
【図４】
2019008916.tif 000007
【図５】
2019008916.tif 000008
【図６】
2019008916.tif 000009
【図７】
2019008916.tif 000010
【図８】
2019008916.tif 000011
【図９】
2019008916.tif 000012
【図１０】
2019008916.tif 000013
【図１１】
2019008916.tif 000014
【図１２Ａ】
2019008916.tif 000015
【図１２Ｂ】
2019008916.tif 000016
【図１３】
2019008916.tif 000017
【図１４】
2019008916.tif 000018
【図１５】
2019008916.tif 000019
【図１６】
2019008916.tif 000020
【図１７】
2019008916.tif 000021
【図１８】
2019008916.tif 000022
【図１９Ａ】
2019008916.tif 000023
【図１９Ｂ】
2019008916.tif 000024
【図２０】
2019008916.tif 000025
【図２１】
2019008916.tif 000026
【図２２】
2019008916.tif 000027
【図２３】
2019008916.tif 000028
【図２４】
2019008916.tif 000029
【図２５】
2019008916.tif 000030
【国際調査報告】
2019008916.tif 000031
2019008916.tif 000032